(57)【要約】本発明は、単電子トランジスタ（Ｓｉｎｇｌｅ  Ｅｌｅｃｔｒｏｎ  Ｔｒａｎｓｉｓｔｏｒ；  ＳＥＴ）を用いて、デオキシリボ核酸（Ｄｅｏｘｙｒｉｂｏ−Ｎｕｃｌｅｉｃ  Ａｃｉｄ；  ＤＮＡ）の塩基序列を超高速、リアルタイムで分析するシステムの構造に関する。デオキシリボ核酸は、遺伝情報の総体であり、ヌクレオシド単位体から構成されている。ヌクレオシドは、全４種類があり、それぞれのヌクレオシドは、同一の１つの五炭糖（デオキシリボース）、リン酸基に互いに異なる４種類の塩基（アデニン（Ａｄｅｎｉｎｅ；  Ａ）、グアニン（Ｇｕａｎｉｎｅ；  Ｇ）、シトシン（Ｃｙｔｏｓｉｎｅ；  Ｃ）、チミン（Ｔｈｙｍｉｎｅ；  Ｔ））から構成されている。Ａ、Ｇは、２つの環型構造となるプリン（Ｐｕｒｉｎｅ）であり、ＣとＴは、１つの環型構造となるピリミジン（Ｐｙｒｉｍｉｄｉｎｅ）である。それぞれは、互いに異なる原子配列を有し、これは、互いに異なる電荷分布を意味する。従って、電荷に対して非常に敏感な単電子トランジスタと、一つのヌクレオシドに効果的に反応する非常に小さいサイズの探針と、単電子トランジスタと探針とを連結する拡張ゲート（Ｅｘｔｅｎｄｅｄ  Ｇａｔｅ）とから構成されたシステムを用いて、デオキシリボ核酸の塩基序列を超高速、リアルタイムで分析することができる。【選択図】図６
2012505400.tif 000002
【特許請求の範囲】
【請求項１】
所定のＤＮАダブル螺旋の一本のストランドが通るサイズの孔又はチャンネルが形成された基板と、前記孔又は前記チャンネルの中間に最も近接したヌクレオシドに反応する探針とから構成された移動部と、
前記ヌクレオシドと電気的反応で変化する前記探針の電荷分布に基づいて、伝導度の変化を測定可能な単電子トランジスタからなる感知部と、
前記移動部に前記感知部を結合させる拡張ゲートと、を含むこと
を特徴とするＤＮА塩基序列分析システム。
【請求項２】
前記移動部は、前記基板の表面に垂直な方向に前記孔が形成されており、電気泳動を用いて、前記基板の上部から下部、又は下部から上部に前記孔を通じて前記ＤＮАを移動させ、前記反応する探針は、前記最も近接した一つのヌクレオシドにより電荷分布が変更するように、伝導性薄膜から形成されたことを特徴とする請求項１に記載のＤＮА塩基序列分析システム。
【請求項３】
前記孔の内側表面に誘電膜を形成して、前記誘電膜を通じて前記探針と前記ヌクレオシドが相互作用することを特徴とする請求項２に記載のＤＮА塩基序列分析システム。
【請求項４】
前記移動部は、前記基板の上層部表面に平行な方向に長く彫られて（Ｉｎ−Ｐｌａｎｅ）前記チャンネルが形成され、電気泳動を用いて、前記チャンネルに沿って前記ＤＮАを移動させ、前記反応する探針は、前記最も近接した一つのヌクレオシドにより電荷分布が変更するように、伝導性薄膜から形成されたことを特徴とする請求項１に記載のＤＮА塩基序列分析システム。
【請求項５】
前記チャンネルの内側表面に誘電膜を形成して、前記誘電膜を通じて、前記探針と前記ヌクレオシドが相互作用することを特徴とする請求項４に記載のＤＮА塩基序列分析システム。
【請求項６】
前記単電子トランジスタは、
数ナノメートル〜数十ナノメートルの大きさを有する量子点と、
前記量子点に電子を放出するソースと、
前記量子点から前記電子が流入されるドレインと、
前記量子点の状態を調節する第１のゲートと、
前記探針と前記量子点を結合させるに必要な第２のゲートと、を含むこと
を特徴とする請求項１に記載のＤＮА塩基序列分析システム。
【請求項７】
前記感知部は、前記単電子トランジスタの伝導度の測定速度を増加するため、前記単電子トランジスタの周辺部に設けられた増幅器を、更に含むことを特徴とする請求項６に記載のＤＮА塩基序列分析システム。
【請求項８】
前記感知部は、電荷敏感度と分析速度を増加するため、前記単電子トランジスタの周辺部に設けられた共鳴回路（レゾナントサーキット）を更に含み、前記共鳴回路を通じて、高周波（ＲＦ又はマイクロ波）を印加した後、前記高周波の反射度又は透過度を測定することを特徴とする請求項６に記載のＤＮА塩基序列分析システム。
【請求項９】
前記感知部と前記移動部とはそれぞれ、前記感知部の温度を低下させて、前記感知部の電荷敏感度と動作特性を向上させるため、別の感知部基板と移動部基板に形成されており、前記拡張ゲートは、熱伝導率を減少させ、信号伝達特性を増加させるため、前記第２のゲートに前記探針を連結する金属導線であることを特徴とする請求項６に記載のＤＮА塩基序列分析システム。
【請求項１０】
前記感知部、前記移動部、及び前記拡張ゲートは、一つの基板にオンチップとして集積されて、信号伝達速度を極大化したことを特徴とする請求項１に記載のＤＮА塩基序列分析システム。
【請求項１１】
前記探針は、１回の分析で前記ＤＮАを複数回分析・検証するため、前記孔又は前記チャンネルの両端の間に相互離隔して形成された複数の探針であり、前記単電子トランジスタは、前記基板又は別の感知部基板に、前記複数の探針数分だけ形成された複数の単電子トランジスタであり、前記探針にそれぞれ対応する前記単電子トランジスタは、前記拡張ゲート介して連結されることを特徴とする請求項１に記載のＤＮА塩基序列分析システム。
【請求項１２】
前記孔又は前記チャンネルは、複数の孔又は複数のチャンネルであり、前記探針は、前記複数の孔又は前記複数のチャンネルにそれぞれ対応する複数の探針であり、前記単電子トランジスタは、前記基板又は別の感知部基板に形成され、前記複数の探針にそれぞれ対応する複数の単電子トランジスタであり、前記探針にそれぞれ対応する前記各単電子トランジスタは、前記拡張ゲートを介して連結されたことを特徴とする請求項１に記載のＤＮА塩基序列分析システム。
【請求項１３】
所定のＤＮАダブル螺旋の一本のストランドが通るサイズの孔又はチャンネルが形成された基板と、前記孔又は前記チャンネルの中間に最も近接したヌクレオシドに反応する探針とから構成される移動部と、
前記ヌクレオシドと反応で変化する前記探針の電荷分布に基づいて、伝導度の変化を測定可能な量子点接合から構成される感知部と、
前記移動部に前記感知部を結合させる拡張ゲートと、を含むこと
を特徴とするＤＮА塩基序列分析システム。
【請求項１４】
前記感知部は、前記量子点接合の伝導度の測定速度を増加するため、前記量子点接合の周辺部に設けられた増幅器を、更に含むことを特徴とする請求項１３に記載のＤＮА塩基序列分析システム。
【請求項１５】
前記感知部は、電荷敏感度と分析速度を増加するため、前記量子点接合の周辺部に設けられる共鳴回路を更に含み、前記共鳴回路（レゾナントサーキット）を通じて高周波（ＲＦ又はマイクロ波）を印加した後、前記高周波の反射度又は透過度を測定することを特徴とする請求項１３に記載のＤＮА塩基序列分析システム。
【請求項１６】
探針が、所定のＤＮАの互いに異なる塩基の電荷分布差を用いて、所定の孔又は所定のチャンネルが形成された移動部を通じて移動する前記ＤＮАにより、電荷分布変化を有するステップ（Ｓ１０）と、
前記探針に結合された単電子トランジスタ又は量子点接合素子が、前記探針の前記電荷分布変化に基づいて伝導度が変化するステップ（Ｓ２０）と、
所定の分析手段が、前記伝導度の変化に基づいて塩基種を把握するステップ（Ｓ３０）と、を含むこと
を特徴とするＤＮА塩基序列分析方法。
【発明の詳細な説明】
【技術分野】
【０００１】
本発明は、デオキシリボ核酸（ＤＮА）の塩基序列を分析する方法及びシステムの構造に関する。より詳しくは、現在使用されている分析方法に比べて、超高速で且つリアルタイムで多量のＤＮАの塩基序列を分析することができる分析方法及びシステムの構造に関する。
【背景技術】
【０００２】
ＤＮАは、遺伝情報の総体であり、ヌクレオシド単位体から構成される。ＤＮАに記録されているヌクレオシド順序に基づいて、タンパク質が合成されるが、本来の塩基序列と異なる塩基序列を有する場合、異なるタンパク質が合成されて深刻な問題を発生させる。従って、ＤＮАが正確なヌクレオシド序列を有しているかを検査することは、疾病予防と治療次元で非常に重要であり、必ず必要である。
【０００３】
ヌクレオシドは、全４種類があり、それぞれのヌクレオシドは、同一の１つの五炭糖（デオキシリボース）、リン酸基に互いに異なる４種類の塩基（アデニン（Ａｄｅｎｉｎｅ；  Ａ）、グアニン（Ｇｕａｎｉｎｅ；  Ｇ）、シトシン（Ｃｙｔｏｓｉｎｅ；  Ｃ）、チミン（Ｔｈｙｍｉｎｅ；  Ｔ）から構成されている。ここで、А、Ｇは、２つの環型構造となるプリン（Ｐｕｒｉｎｅ）であり、ＣとＴは、１つの環型構造となるピリミジン（Ｐｙｒｉｍｉｄｉｎｅ）である。
【０００４】
Ｍａｘａｍ−Ｇｉｌｂｅｒｔ  Ｓｅｑｕｅｎｃｉｎｇ、Ｃｈａｉｎ−Ｔｅｒｍｉｎａｔｉｏｎ  Ｍｅｔｈｏｄｓなどの初期分析法からＤｙｅ−Ｔｅｒｍｉｎａｔｏｒ  Ｓｅｑｕｅｎｃｉｎｇに至るまで、ＤＮАの塩基序列を分析する多くの方法が開発されている。しかし、これらの方法は、単位時間当りの分析する塩基の数が少なく、放射性アイソトープを置き換えるか、色素を塗るなど、準備作業に多大な時間がかかるという問題がある。その上、コストが高くなり、分析後に放射性廃棄物など、環境汚染物質が排出されることも問題として指摘される。
【０００５】
また、分析可能なＤＮАの長さに制限があり、同時に複数のＤＮАを分析することに困難がある。
【発明の概要】
【発明が解決しようとする課題】
【０００６】
ＤＮАの塩基序列を分析する多くの方法が既に開発されているが、単位時間当りの分析する塩基の数が少なく、放射性アイソトープを置き換えるか、色素を塗るなど、準備作業に多大な時間がかかるという問題がある。その上、このような方法は、コストが高くなり、分析後に放射性廃棄物など、環境汚染物質が排出される。また、分析可能なＤＮАの長さに制限があり、同時に複数のＤＮАを分析することに困難がある。
【課題を解決するための手段】
【０００７】
ＤＮАダブル螺旋を二本のストランドに分離する。一本のストランドに対して他の一本のストランドは相補的な序列を有するので、一本のストランドについてのみ、塩基序列を分析してもかまわない。
【０００８】
従って、一つのヌクレオシドが通るサイズの孔又はチャンネルが形成された移動部基板にＤＮАを通過させ、最も近接した一つのヌクレオシドに効果的に反応するように、非常に小さい探針を孔又はチャンネルの中間に配置する。
【０００９】
拡張ゲートを用いて、前記探針を単電子トランジスタの量子点と結合させる。単電子トランジスタの量子点は、周辺電荷に対して極めて敏感に反応する。従って、塩基種により誘導される探針の電荷分布が、拡張ゲートを通じて単電子トランジスタの量子点に伝達され、単電子トランジスタの伝導度を変化させる。このような単電子トランジスタの伝導度を測定することで、探針と反応する塩基種を明確に把握することができる。
【００１０】
一方、本発明の目的は、ＤＮАダブル螺旋の一本のストランドが通るサイズの孔又はチャンネルが形成された移動部基板と、その孔又はそのチャンネルの中間に最も近接している一つのヌクレオシドに効果的に反応する探針とから構成される移動部と、電気的に電荷に敏感に反応する単電子トランジスタからなる感知部と、移動部に感知部を結合させる拡張ゲートと、を含むことを特徴とするＤＮА基序列分析システム構造を提供することにより、達成することができる。
【００１１】
そして、基板の表面に垂直な方向に、一本のストランドのＤＮАを通過するサイズの孔があることが好適である。そして、電気泳動などの方法で、基板の上部から下部、又は下部から上部に孔を通じて、ＤＮАを移動するのが好適である。また、移動部は、最も近接した一つのヌクレオシドに効果的に反応して、電荷分布を変更する伝導性薄膜からなる探針を有するのが好適である。
【００１２】
また、基板の上層部の表面に、一本のストランドのＤＮАを通過することができる幅のチャンネルを形成するが、そのチャンネルは、基板の表面に平行な方向に長く彫られており（Ｉｎ−Ｐｌａｎｅ）、電気泳動などの方法で、チャンネルに沿ってＤＮАを移動することができるのが好適である。また、移動部は、最も近接した一つのヌクレオシドに効果的に反応して電荷分布が変化する、伝導性薄膜からなる探針が、チャンネルの中間にあるのが望ましい。
【００１３】
一方、単電子トランジスタの感知部は、数ナノメートルから数十ナノメートルのサイズを有する量子点と、量子点に電子を放出するソースと、量子点から電子が流入されるドレインと、量子点の状態を調節する第１のゲートと、探針と量子点を結合させるに必要な第２のゲートとから構成されるのが望ましい。
【００１４】
また、第２のゲートは、ヌクレオシドによる探針の変化を効果的に単電子トランジスタの量子点に伝達するため、第２のゲートと量子点との間の電気容量（Ｃａｐａｃｉｔａｎｃｅ）が極大化になるように設計されるのが望ましい。
【００１５】
一方、本発明の目的は、単電子トランジスタを、量子点接合に代えて構成された感知部により達成することができる。
【００１６】
また、感知部は、単電子トランジスタ又は量子点接合の伝導度の測定速度を増加するため、ドレインに近接して設けられた増幅器を、更に含むことができる。
【００１７】
そして、感知部は、単電子トランジスタ又は量子点接合の周辺部に設けられた共鳴回路を更に含み、高周波（ＲＦ又はマイクロ波）を印加して、電荷敏感度と分析速度を増加する。
【００１８】
また、本発明のシステムは、感知部、移動部、拡張ゲートを、一つの基板にオンチップ（Ｏｎ−Ｃｈｉｐ）として集積して、信号伝達速度を極大化する。
【００１９】
そして、感知部の電荷敏感度と動作特性を向上させるため、感知部の温度を低下させなければならない場合、感知部と移動部をそれぞれ異なる基板に形成することができる。このようにすることで、感知部基板の温度だけを選択的に低下させることができる。この時、本発明のシステムは、熱伝導率と信号伝達特性を考慮した金属導線を拡張ゲートとして用い、感知部の第２のゲートと移動部の探針を連結した構造であってもよい。
【００２０】
また、移動部は、ＤＮАが移動する孔又はチャンネルの表面に誘電膜を形成して、誘電膜を通じて探針とヌクレオシドが相互作用することができる。
【００２１】
しかし、移動部は、ＤＮАが移動する孔又はチャンネルの表面に誘電膜を形成することなく、探針とヌクレオシドが直接相互作用することができる。
【００２２】
一方、本発明のシステムは、移動部基板の表面に垂直な孔、又は水平なチャンネルに離隔して形成された複数の探針を備え、感知部基板に、探針の個数分だけ単電子トランジスタを形成して、探針にそれぞれ結合される。このようにすることで、本発明のシステムは、一回の分析で一つのＤＮАを複数回分析することができる。また、このような本発明のシステム構造は、分析及び検証を同時に行うことで、分析エラーを除去することができるようにする。
【００２３】
そして、本発明のシステムは、一つの移動部基板に複数の孔又はチャンネルを形成し、移動部基板に、探針の個数分だけ単電子トランジスタを感知部に形成した後、それぞれの探針と単電子トランジスタを拡張ゲートで連結して、同時に複数のＤＮАを分析することができる。
【００２４】
一方、本発明の目的を達成するため、本発明の他の様態によると、ＤＮАの互いに異なる塩基の電荷分布差による探針の変化を、電荷に敏感に反応する素子（例えば、単電子トランジスタ又は量子点接合）と結合して、その素子の伝導度の変化を測定することで、塩基種を把握する分析方法を提供する。
【発明の効果】
【００２５】
本発明によるＤＮА分析方法及びシステムは、ＤＮАダブル螺旋を二本のストランドに分離する過程以外に別の準備過程が不要であるため、分析作業が単純となる。また、放射性アイソトープや染料などの物質を排出することなく、ＤＮА長さによらず、同時に多数のＤＮАを、超高速、リアルタイム、自動に分析することができる。また、分析と同時に検証も可能であり、分析エラーを防止することができる。
【図面の簡単な説明】
【００２６】
【図１】従来の単電子トランジスタの構造を概略的に示す構造図である。
【図２】従来の単電子トランジスタを示す回路図である。
【図３】本発明の第１の実施例による基板に垂直に孔が形成された垂直型移動部を通じて、ＤＮАが移動する状態を示す斜視図である。
【図４】図３に示した基板に形成された孔を上下に切った断面を示す断面図である。
【図５】本発明の第２の実施例による基板に水平なチャンネルが形成された水平型移動部を通じて、ＤＮАが移動する状態を示す斜視図である。
【図６】本発明の第３の実施例による一つの基板に集積して形成した水平型移動部の探針と感知部の単電子トランジスタを、拡張ゲートで連結した状態を示す透視図である。
【図７】本発明の第４の実施例による互いに異なる基板に、水平型移動部の探針と感知部の単電子トランジスタを、拡張ゲートで連結した状態を示す透視図である。
【発明を実施するための形態】
【００２７】
〔構成〕
図１は、従来の単電子トランジスタの構造を概略的に示す図面であり、図２は、従来の単電子トランジスタの構成を示す回路図である。図１及び図２は、本発明の感知部に用いられる単電子トランジスタを概略的に示すものである。図１及び図２に示すように、単電子トランジスタは、数ナノメートル〜数十ナノメートルのサイズを有する量子点（ＱＤ）と、量子点（ＱＤ）に電子を放出するソース（Ｓ）と、量子点（ＱＤ）から電子が流入されるドレイン（Ｄ）と、量子点（ＱＤ）の状態を調節する第１のゲート（Ｇ１）と、探針に量子点（ＱＤ）を結合するに必要な第２のゲート（Ｇ２）とから構成される。
【００２８】
単電子トランジスタを、量子点接合（Ｑｕａｎｔｕｍ  Ｐｏｉｎｔ  Ｃｏｎｔａｃｔ；  ＱＰＣ）などの電荷に敏感に反応する他の素子に代替することができ、このような素子の反応速度を向上させるため、素子の近くに増幅器などを設けてもよい。反応速度と共に電荷敏感度も増加させるため、共鳴回路及び高周波信号（ＲＦ又はマイクロ波）を使用するか、素子の動作温度を低下させることもできる。
【００２９】
図３は、本発明の第１の実施例による、基板に垂直に孔が形成された垂直型移動部を通じて、ＤＮАが移動する状態を示す斜視図であり、図４は、図３に示した基板に形成された孔を上下に切った断面を示す断面図である。図３及び図４に示すように、移動部は、所定のＤＮАダブル螺旋２００の一本のストランドが通過するサイズの孔が形成された移動部基板１００と、孔の中間に設けられて、最も近接した一つのヌクレオシドに反応する探針１１０とから構成される。
【００３０】
即ち、一つのヌクレオシドが通るサイズの孔にＤＮА２００を通過させ、最も近くにある一つのヌクレオシドに効果的に反応する非常に小さい探針１１０を、孔の中間に配置する。
【００３１】
このような基本構造に基づいて、分析及び検証を同時に行うため、一つの孔に複数の探針を設けるか、又は、同時に複数のＤＮАを分析するため、一つの基板に複数の孔を形成することができる。
【００３２】
ここで、感知部（図示せず）は、ヌクレオシド２００と反応で変化する探針１１０の電荷分布に基づいて、伝導度の変化を測定することができる単電子トランジスタで構成してもよく、拡張ゲートを用いて探針１１０に連結してもよい。この時、単電子トランジスタは、一つの基板にオンチップ（Ｏｎ−Ｃｈｉｐ）として集積されてもよく、移動部基板１００と異なる基板に別に形成されてもよい。
【００３３】
本発明の第１の実施例による塩基序列分析の過程は、ＤＮАダブル螺旋２００を二本のストランドに分離し、一本のストランドに対して他の一本のストランドは相補的な序列を有するので、一本のストランドに対して塩基序列を分析することになる。分析方法については、後述する。
【００３４】
図５は、本発明の第２の実施例による基板に水平なチャンネルが形成された水平型移動部を通じて、ＤＮАが移動する状態を示す斜視図である。図５に示すように、移動部は、所定のＤＮАダブル螺旋２００の一本のストランドが通過するサイズのチャンネルが形成された移動部基板１００と、チャンネルの中間に設けられて、最も近接した一つのヌクレオシドに反応する探針１１０とから構成される。
【００３５】
即ち、一つのヌクレオシドが通るサイズのチャンネルにＤＮА２００を通過させ、最も近くにある一つのヌクレオシドに効果的に反応する非常に小さな探針１１０を、チャンネルの中間に配置する。
【００３６】
このような基本構造に基づいて、分析及び検証を同時に行うため、一つのチャンネルに複数の探針を設けるか、又は、同時に複数のＤＮАを分析するため、一つの基板に複数のチャンネルを形成することができる。
【００３７】
図６は、本発明の第３の実施例による一つの基板に集積して形成した水平型移動部の探針と感知部の単電子トランジスタを、拡張ゲートで連結した透視図である。図６に示すように、移動部は、移動部基板１００と探針１１０とを含み、単電子トランジスタ（又は、感知部）は、ソース１０と、ドレイン２０と、第１のゲート３０と、第２のゲート３１とを含む。そして、拡張ゲートを一つの基板にオンチップとして集積して、信号伝達速度を極大化する。
【００３８】
ここで、感知部は、ヌクレオシド２００と反応して変化する探針１１０の電荷分布に基づいて、伝導度の変化を測定可能な単電子トランジスタから構成され、拡張ゲートは、移動部と感知部を結合させる。
【００３９】
図７は、本発明の第４の実施例による互いに異なる基板に、水平型移動部の探針と感知部の単電子トランジスタを、拡張ゲート３００で連結した状態を示す透視図である。図７に示すように、感知部と移動部はそれぞれ、感知部の温度を低下させ、感知部の電荷敏感度と動作特性を増加させるため、別の感知部基板と移動部基板に形成してもよい。拡張ゲートは、熱伝導率を減少させ、信号伝達特性を増加させるため、第２のゲート３１と探針１１０を連結した金属導線の拡張ゲート３００を用いる。
【００４０】
〔塩基序列分析方法〕
まず、ＤＮАダブル螺旋を二本のストランドに分離する。一本のストランドに対して他の一本のストランドは相補的な序列を有するので、一本のストランドに対して、本発明の超高速・高感度ＤＮＡ塩基序列分析システムで分析する。
【００４１】
次いで、所定のＤＮАの互いに異なる塩基の電荷分布の差を用いて、所定の孔又は所定のチャンネルが形成された移動部を通じて移動するＤＮАにより、探針が電荷分布変化を有するようにする（Ｓ１０）。この時、電気泳動などの方法で、基板の上部から下部、又は下部から上部に、孔又はチャンネルを通じて、ＤＮАを移動するのが望ましい。
【００４２】
ついで、探針１１０の電荷分布変化に基づいて、探針１１０と結合された単電子トランジスタ、又は量子点接合の伝導度が変化する（Ｓ２０）。
【００４３】
この時、拡張ゲート３００を用いて、前記探針１１０を、単電子トランジスタの量子点４０と結合させる。単電子トランジスタの量子点４０は、周辺電荷に対して極めて敏感に反応するので、塩基種により誘導される探針１１０の電荷分布が、拡張ゲート３００を通じて単電子トランジスタの量子点４０に伝達され、これは、単電子トランジスタの伝導度に変化を生じる。所定の分析手段（図示せず）が、単電子トランジスタの伝導度を分析することで、探針１１０と反応する塩基種を明確に把握することができる（Ｓ３０）。
【符号の説明】
【００４４】
１０、Ｓ    ソース
２０、Ｄ    ドレイン
３０、Ｇ１  第１のゲート
３１、Ｇ２  第２のゲート
４０        量子点
１００      移動部基板
１１０      探針
２００      ＤＮА（デオキシリボ核酸）
３００      拡張ゲート
【図１】
2012505400.tif 000003
【図２】
2012505400.tif 000004
【図３】
2012505400.tif 000005
【図４】
2012505400.tif 000006
【図５】
2012505400.tif 000007
【図６】
2012505400.tif 000008
【図７】
2012505400.tif 000009
【国際調査報告】
2012505400.tif 000010
2012505400.tif 000011
2012505400.tif 000012
2012505400.tif 000013